(57)【要約】      （修正有）【課題】食害を防止する緑化方法において、コイルばねのようなスペーサを不要にしてコスト縮減を図ることができるとともに、施工性に優れた緑化方法、それに用いられる植生マットおよび咀嚼阻害物を有する食害防止部材ならびに緑化構造体を提供する。【解決手段】植生対象面４に植物を生育させる緑化方法において、植物生育空間７を残した状態で咀嚼阻害物６を設けた植生マット１，１’を、植生対象面４に敷設する。【選択図】図２
2010187630.tif 000002
【特許請求の範囲】
【請求項１】
植生対象面に植物を生育させる緑化方法において、
動物による食害を防止するため植物生育空間を残した状態で植生対象面に咀嚼阻害物を設けることを特徴とする緑化方法。
【請求項２】
植生対象面に植物を生育させる緑化方法において、
植物生育空間を残した状態で咀嚼阻害物を設けた植生マットを、植生対象面に敷設することを特徴とする緑化方法。
【請求項３】
植生対象面に植物を生育させる緑化方法において、
植生工を植生対象面に施し、その上に咀嚼阻害物を有する食害防止部材を植物生育空間を残した状態で設置することを特徴とする緑化方法。
【請求項４】
請求項２に記載の緑化方法に用いられる植生マット。
【請求項５】
請求項３に記載の緑化方法に用いられる咀嚼阻害物を有する食害防止部材。
【請求項６】
請求項１〜３のいずれかに記載の緑化方法によって形成されてなる緑化構造体。
【発明の詳細な説明】
【技術分野】
【０００１】
この発明は、植生対象面に植物を生育させる緑化方法、それに用いられる植生マットおよび咀嚼阻害物を有する食害防止部材ならびに緑化構造体に関するものである。
【背景技術】
【０００２】
近年、鹿等の大型草食動物による食害が、特に緑化工の妨げとなり問題となっている。すなわち、法面等の植生対象面に緑化工を施工してもこの施工に用いる緑化用植物が発芽初期段階で食害にあい、その結果、緑化による侵食防止が不十分な状態で法面等の植生対象面が放置されてしまうことが多い。
【０００３】
そこで、上記食害を防止するために、下記の特許文献１に示すように、金網を植生対象面としての法面から浮かせた状態で張設することによって、草食動物の侵入を防いで植物を保護することが従来より行われてきた。
【先行技術文献】
【特許文献】
【０００４】
【特許文献１】特開２００５−１３７２５８号公報
【発明の概要】
【発明が解決しようとする課題】
【０００５】
しかし、特許文献１に記載された方法は、コイルばねを使って金網を法面から一部浮かせた状態にしており、その分コストが嵩むという課題がある。
また、特許文献１に記載された方法では、法面に植物を生育するため、まず始めに法面上に生育基盤を形成し、次に、生育基盤中の種子が発芽しやすい温度及び湿度に保持するため前記生育基盤を被覆する被覆材を施工する必要があり、しかも被覆材の施工では法面の法肩に予め被覆材設置用の複数のアンカーピンを打ち込み、被覆材を生育基盤の上に垂らした状態にするため前記被覆材設置用のアンカーピンに被覆材の紐を引っかけるといった作業を行い、そして始めて被覆材の上に金網を広げた状態で金網と被覆材を別途アンカーピンにより法面に対して固定し、最後に金網を法面から離すように引っ張って前記コイルばねを金網の網目から金網の下方に通すことにより前記コイルばねを被覆材と金網の間に配置して金網を被覆材から一部浮かせた状態にするといった施工がなされていることから、施工の効率化が図れないという課題があり、これに代わる新たな方法の開発が望まれている。
【０００６】
この発明は、上述の事柄に留意してなされたもので、その目的は、食害を防止する緑化方法において、コイルばねのようなスペーサを不要にしてコスト縮減を図ることができるとともに、施工性に優れた緑化方法、それに用いられる植生マットおよび咀嚼阻害物を有する食害防止部材ならびに緑化構造体を提供することである。
【課題を解決するための手段】
【０００７】
上記目的を達成するために、この発明は、植生対象面に植物を生育させる緑化方法において、動物による食害を防止するため植物生育空間を残した状態で植生対象面に咀嚼阻害物を設けることを特徴とする緑化方法（請求項１）を提供する。
【０００８】
また、この発明は別の観点から、植生対象面に植物を生育させる緑化方法において、
植物生育空間を残した状態で咀嚼阻害物を設けた植生マットを、植生対象面に敷設することを特徴とする緑化方法（請求項２）を提供する。
【０００９】
また、この発明はさらに別の観点から、植生対象面に植物を生育させる緑化方法において、植生工を植生対象面に施し、その上に咀嚼阻害物を有する食害防止部材を植物生育空間を残した状態で設置することを特徴とする緑化方法（請求項３）を提供する。
【００１０】
また、この発明は、請求項２に記載の緑化方法に用いられる植生マット（請求項４）、および、請求項３に記載の緑化方法に用いられる咀嚼阻害物を有する食害防止部材（請求項５）、ならぴに、請求項１〜３のいずれかに記載の緑化方法によって形成されてなる緑化構造体（請求項６）を提供する。
【００１１】
この発明において、咀嚼阻害物とは、口に含んだ際に草食動物へ違和感を覚えさせるため、例えば、草食動物が食そうとした際かみ切れず食べることができないような素材（合成樹脂、金属等）よりなり、しかも、餌（植物）を食そうとした際に一部が植物とともに草食動物の口に入って咀嚼を阻害することができるようなものを意味する。なお、この発明における草食動物とは、鯨偶蹄目若しくはグレリス大目の系統に属し、植物に食害を与える動物（鹿、カモシカ、猪、ウサギなど）を特に指す。鹿の場合は、咀嚼阻害物として、ざらざらした舌触りのものが有効である。
代表的な咀嚼阻害物としては、植物の構成部位（例えば葉、幹、枝等）に見せかけるため例えば草食動物が食べることができない合成繊維製のスリットヤーンで形成された細条片６（例えば図１〜４参照）を挙げることができるが、この発明で用いる咀嚼阻害物は、必ずしも植物の構成部位に見せかける種類のものに限るものではない。
例えば、以下に示すような種類のものも咀嚼阻害物として含まれる。
（１）図５（Ａ）に示すような図１〜４の細条片６と同一素材で細条片２に比べて幾分幅広で鋸形状の細条片６ａ。素材が合成樹脂である場合は忌避剤を混入するのが好ましく、素材が金属である場合は忌避剤を塗布するのが好ましい。
（２）図５（Ｃ）に示すような柔らかいビニール製の紐状体６ｂ。これは、金属線材Ｍまたは合成樹脂線材Ｒを内部に有し、金属線材Ｍまたは合成樹脂線材Ｒは紐状体６ｂの中心軸Ｌを貫通している。さらに、紐状体６ｂは、中心軸Ｌに沿って適宜間隔で、かつ向きを互い違いに変えてあり、かつ金属線材Ｍまたは合成樹脂線材Ｒが露出している切欠き窓Ｗを有する。金属線材Ｍに忌避剤を塗布し、合成樹脂線材Ｒに忌避剤を混入するのが好ましい。
（３）図５（Ｂ）に示すような細条片６ｃ。これは、細条片６よりも幾分幅広で柔らかいビニール素材よりなる細条片本体ｅと、細条片本体ｅの短手方向両端に細条片本体ｅの長手方向に沿う状態でビニール製の紐状体６ｂ’を有する。この場合、紐状体６ｂ’および６ｂ’に形成される切欠き窓Ｗはそれぞれ外向き（細条片本体ｅの短手方向における外側の向き）に設けられている。
（４）図５（Ｄ）に示すような有刺鉄線形状の細条片６ｄ。
そして、咀嚼阻害物の大きさ〔厚み、横幅、縦の長さ（高さ）〕、形状、本数、種類等は植物生育空間に生育する植物の大きさ、本数等に応じて、また、咀嚼阻害物あるいは植物生育空間に生育する植物の占める割合、対象草食動物等を考慮して適宜設定する。
この発明は特に草本類などの地表面付近に繁茂する植物の食害防止に効果を発揮する。そして、咀嚼阻害物はなるべく植生対象面の全面に配置されることでより効果的に食害を防止することができる。
例えば、咀嚼阻害物は、平均的に４ｃｍ2 〜１００ｃｍ2 に一つの割合で配置されることが望ましい。４ｃｍ2 に一つより多くする（密に配置する）と、植物生育空間が狭くなりすぎて植物の生育に支障がでるおそれがあり、また、１００ｃｍ2 に一つより少なくする（疎に配置する）と、咀嚼阻害物が存在しない植物生育空間が広くなりすぎて食害を受ける箇所が現れる可能性が高まる。
また、植物が繁茂して緑被率が８０％以上となった際に、植物と咀嚼阻害物の割合が、２０：８０〜８０：２０となるように咀嚼阻害物の本数や形状を設定することが最も望ましい。
また、図３，４にも示したように、咀嚼阻害物は、植生対象面（緑化対象面）へ敷設した際に草のごとく立ち上がるように前記食害防止部材へ設けることが好適である。このような構造とすることで、周囲の植物とより自然に混在しやすくなる。
【００１２】
この発明における植生マットとしては、例えば以下のものを挙げることができる。
（１）緑化材料（土壌改良材、保水材、肥料、有機質材料などの植生基材と植物種子を含む）をシートの下面または上面に固定して（保持させて）なるマット。ここで、前記シートは、例えば薄綿ラップや不織布などからなるものであり、例えば、簡単に水で解ける（分散する）水解性のシートでもよく、生分解性の繊維からなるシートでもよい。薄い素材間に植物種子などとともに、植生基材の少なくとも一つを挟持させた所謂張芝体も含む。（２）前記シートをネットに貼り合わせ等により保持させてなる植生マット〔図１、図２（Ａ）参照〕。前記シートは、例えば土壌改良材、保水材、肥料、有機質材料などの植生基材の少なくとも一つと植物種子とを保持している。
（３）図２（Ｂ）に示す肥料袋付植生マット。これは、例えば植物種子を下部に保持する一枚の薄綿（シート）をネットの下面に保持するとともに、ネットの複数箇所に適宜間隔おきに収容部を設け、これら収容部に有機質材料や保水材及び肥料等の植生基材ｂが収容された例えば不織布などからなる肥料袋が挿入収容されてなる。
なお、前記肥料袋、シート、張芝体の構成素材としては、例えばバクテリアなどの微生物で分解腐食されて経時的に消失する綿、絹、麻などの天然繊維や、再生セルロースからなるビスコースレーヨンなどの再生繊維、さらには、前述したような腐食性繊維の単独、又は、腐食性繊維と合成繊維とからなる混紡繊維を使用することも可能である。
【発明の効果】
【００１３】
請求項１に係る発明によれば、植物生育空間を残した状態で植生対象面に咀嚼阻害物を設けることから、（すなわち、食物ではない咀嚼阻害物を植物生育空間に隣接させていることから、）施工直後の咀嚼阻害物しか存在しない中で、また、植物生育空間に生育した植物と咀嚼阻害物とが隣接しながら混在する中で動物が咀嚼阻害物を口にした際、かみ切ることができず食物ではないことを認識して動物は違和感を覚える。また、咀嚼阻害物の存在により餌である植物を上手く咀嚼できずにストレスを受ける。その結果、その地域の植物を食べることを嫌悪するようになり、忌避効果が生まれて動物による食害を防止することができる。
また、咀嚼阻害物として例えば植生対象面、あるいはその周辺の自然環境にマッチした色（例えば緑色、茶色など）のものを用いれば、施工直後から景観を向上させることができる。そして、植物の生育後には、植物と咀嚼阻害物が組み合わされた状態となり景観をさらに向上させることができる。
【００１４】
請求項２に係る発明によれば、植物生育空間を残した状態で咀嚼阻害物を設けた植生マットを、植生対象面に敷設することから、敷設直後の植生マットにおいて咀嚼阻害物しか存在しない中で、また、植生マットから植物生育空間に生育してきた植物と咀嚼阻害物とが隣接しながら混在する中で動物が咀嚼阻害物を口にした際、かみ切ることができず食物ではないことを認識して動物は違和感を覚える。また、咀嚼阻害物の存在により餌である植物を上手く咀嚼できずにストレスを受ける。その結果、その地域の植物を食べることを嫌悪するようになり、忌避効果が生まれて動物による食害を防止することができる。
また、咀嚼阻害物として例えば植生対象面、あるいはその周辺の自然環境にマッチした色（例えば緑色、茶色など）のものを用いれば、施工直後から景観を向上させることができる。そして、植物の生育後には、植物と咀嚼阻害物が組み合わされた状態となり景観をさらに向上させることができる。
【００１５】
請求項３に係る発明によれば、植生工を植生対象面に施し、その上に咀嚼阻害物を有する食害防止部材を植物生育空間を残した状態で設置することから、敷設直後の咀嚼阻害物しか存在しない中で、また、植生マットから植物生育空間に生育してきた植物と咀嚼阻害物とが隣接しながら混在する中で動物が咀嚼阻害物を口にした際、かみ切ることができず食物ではないことを認識して動物は違和感を覚える。また、咀嚼阻害物の存在により餌である植物を上手く咀嚼できずにストレスを受ける。その結果、その地域の植物を食べることを嫌悪するようになり、忌避効果が生まれて動物による食害を防止することができる。  また、咀嚼阻害物として例えば植生対象面、あるいはその周辺の自然環境ににマッチした色（例えば緑色、茶色など）のものを用いれば、施工直後から景観を向上させることができる。そして、植物の生育後には、植物と咀嚼阻害物が組み合わされた状態となり景観をさらに向上させることができる。
ところで、緑化工として植生マット工を選択する場合、植生マットを植生対象面に敷設した後、適宜箇所に図４に示す形状のアンカー９を打設し、その際、アンカー９の横方向へ屈曲した形状の頭部９ａをもって植生マットを植生対象面へ押さえつける方法が一般的に行われており、打設箇所で、いわば点状に押さえつけている。
これに対し、請求項３に係る発明では、咀嚼阻害物を有する食害防止部材として、例えば傾斜した植生対象面（例えば法面）で使用される図３に示す形状の咀嚼阻害物付ワッシャを用いた場合、アンカー９の頭部９ａの打設面積よりも大きな面積の底面を備えたワッシャであることから、ワッシャ底面でいわば面状に押さえることができて、押さえつけ効果は大であり、植生対象面の崩壊を強固に抑止することができる。
そして、咀嚼阻害物を有する食害防止部材の別の例として、図４に示すように、咀嚼阻害物付紐状体を用いると、この場合は、植生対象面に敷設された植生マット上へ前記紐状体を例えば格子状に設置し、前記紐状体の底面でいわば面状に前記紐状体で覆われた箇所をも押さえることができ、押さえつけ効果を多大にできる。前記食害防止部材としては、前記ワッシャ状、紐状の他にネット状、シート状等のものが挙げられる。
さらに、請求項３に係る発明では、一般的な緑化工（植生基材吹付工や種子吹付工など）を予め施しておき、その後、前記紐状体を緑化工を施した上へ後付け設置することができる。
また、図３に示すワッシャの場合でも同様であり、一般的な緑化工（植生基材吹付工や種子吹付工など）を予め施しておき、前記ワッシャを緑化工を施した上へ後付け設置することができる。
【００１６】
このように、施工性に優れ、コイルばねのようなスペーサを不要にしてコスト縮減を図ることができるとともに植生対象面の崩壊抑止ならびに動物による食害を防止することができる緑化方法を提供することができる。
【図面の簡単な説明】
【００１７】
【図１】この発明の第１の実施形態における施工後の緑化状況を示す構成説明図およびその要部拡大図である。
【図２】（Ａ）は、上記実施形態で用いる植生マットを示す構成説明図である。（Ｂ）は、上記実施形態で用いる植生マットの別の例を示す構成説明図である。
【図３】この発明の第２の実施形態において用いられる咀嚼阻害物を有する食害防止部材の施工状態を説明するための斜視図である。
【図４】この発明の第３の実施形態において用いられる咀嚼阻害物を有する食害防止部材の施工状態を説明するための斜視図である。
【図５】（Ａ）は、この発明で用いられる咀嚼阻害物の第１の変形例を示す斜視図である。（Ｂ）は、この発明で用いられる咀嚼阻害物の第２の変形例を示す斜視図である。（Ｃ）は、この発明で用いられる咀嚼阻害物の第３の変形例を示す斜視図である。（Ｄ）は、この発明で用いられる咀嚼阻害物の第４の変形例を示す斜視図である。
【図６】（Ａ）は、この発明で用いられる咀嚼阻害物の第５の変形例を示す斜視図である。（Ｂ）は、この発明で用いられる咀嚼阻害物の第６の変形例を示す斜視図である。
【図７】図６（Ａ）の咀嚼阻害物の別の製作手法を示す斜視図である。
【図８】（Ａ）は、この発明で用いられる咀嚼阻害物の第７の変形例を示す斜視図である。（Ｂ）は、この発明で用いられる咀嚼阻害物の第８の変形例を示す斜視図である。
【発明を実施するための形態】
【００１８】
図１、図２（Ａ）は、植物生育空間を残した状態で咀嚼阻害物を設けた植生マットを、植生対象面に敷設するように構成したこの発明の第１の実施形態を示す。
図１、図２（Ａ）において、１はそれ自体周知の植生マットである。この植生マット１は、例えば牧草種子、野草種子、花の種子などの植物種子ａと土壌改良材、保水材、肥料、有機質材料などの植生基材ｂの少なくとも一つとを下面に保持する一枚の保水性の高い薄綿２が、例えば耐久性のあるプラスチック繊維で適当な目合いに編織した平面視矩形のネット３の下面に薄綿２の上面を介して保持されてなるもので、法面（植生対象面の一例）４に敷設される。ネット３の網目ｔの形状は、図１に示すように格子形状でもよく、また、菱形でも、あるいは、亀甲形状でもよい。また、ネット３を含む植生マット１は、マット幅Ｄ（図４参照）が１ｍ程である長尺（例えば５〜１０ｍ程のマット長さ）のものである。
なお、この発明では、前記植生マット１に代えて、図２（Ｂ）に示すような肥料袋付植生マット１’を適用することができる。この肥料袋付植生マット３’は、植物種子ａを下面に保持する一枚の保水性の高い薄綿２を、ネット３の下面に保持するとともに、ネット３の複数箇所に二重編みした肥料袋収容部４をネット長手方向（両矢印Ｐで示す方向）と平行になるように適宜間隔に設け、これら収容部４に有機質材料や保水材及び肥料等の植生基材ｂが収容された例えば不織布などからなる肥料袋５が挿入収容されてなる。
また、ネット３として、忌避剤を混入させたものを用いてもよく、この忌避剤を薄綿２に担持させたり肥料袋５の内部に収容させてもよく、更には肥料袋５の代替として忌避剤を充填した袋を一部に用いてもよい。また、プラスチック製のネット３に代えて、忌避剤を塗布した金属製のネットを用いることもできる。この場合、忌避剤の効果が長時間維持することができる点で好適である。
【００１９】
以下、特徴的構成について説明する。
６は、植生マット１に設けた咀嚼阻害物である。咀嚼阻害物６は、例えばポリプロピレン等の合成繊維製のスリットヤーンで形成された細条片であり、この実施形態では、植生ネット３の交点Ｃならびにその近傍に複数本の細条片６が縫着・編着・植毛等の方法により起毛状に、かつ各細条片６が移動したり抜け上がらないよう強固に装着されている。また、この実施形態では、咀嚼阻害物として、例えば緑色または茶色に着色された細条片６を用いている。
なお、着色材として環境に配慮した素材のものを用いるのが好ましい。また、環境に配慮して、咀嚼阻害物６を生分解性の材質よりなるものとしてもよい。
７は、植物生育空間であり、この植物生育空間７を残した状態で咀嚼阻害物６を設けた（装着した）植生マット１が法面４に敷設される。
【００２０】
而して、植生マット１の敷設にあたり、ネット３の適宜箇所に例えば図４に示す形状のアンカー９を打設し、その際、アンカー９の横方向へ屈曲した形状の頭部９ａをもってネット３を法面４へ押さえつける。そして、敷設直後の植生マット１においては咀嚼阻害物６しか存在しない。その後、植生マット１から植物生育空間７に生育してきた植物８と咀嚼阻害物６とが隣接しながら混在する（図１参照）。その状態で、草食動物が咀嚼阻害物６を口にした際、かみ切ることができず食物ではないことを認識して草食動物は違和感を覚える。また、咀嚼阻害物６の存在により餌である植物８を上手く咀嚼できずにストレスを受ける。その結果、その地域の植物８を食べることを嫌悪するようになり、忌避効果が生まれて動物による食害を防止することができる。
なお、この実施形態では、植物生育空間７を残した状態で法面４に敷設するものとして、咀嚼阻害物６を設けた植生マット１，１’を用いたが、これに代えて、以下に示す構成のものを用いて、法面４に植物を生育させるようにしてもよい。
（１）咀嚼阻害物が例えば植毛されたシート（不織布）の裏面に、直接種子などを接着して構成されたもの。
（２）咀嚼阻害物が例えば植毛されたシート（不織布）の裏面に、種子などが接着されたシート（薄綿）を接着してあるもの。
（３）咀嚼阻害物が例えば植毛されたシート（不織布）の裏面に、植生マットを接着してあるもの。
【００２１】
図３は、植生工を植生対象面に施し、その上に咀嚼阻害物を有する食害防止部材を植物生育空間を残した状態で設置するように構成した、この発明の第２の実施形態を示す。なお、図３において、図１、図２に示した符号と同一のものは、同一または相当物である。  図３において、１１は、咀嚼阻害物（例えば細条片）６を有する食害防止部材であり、これは、法面４で使用される五円玉形状のワッシャ１２と咀嚼阻害物６とよりなる。このワッシャ１２は硬質の合成樹脂製素材よりなるものでもよいし、金属製素材よりなるものでもよい。そして、ワッシャ１２中央にアンカー挿通孔Ｈが穿設されており、ワッシャ１２の上面側には、このアンカー挿通孔Ｈのまわりには略円周上に適宜間隔を有して複数の咀嚼阻害物固定用凹所１３が形成されている。そして、各凹所１３には、複数本の咀嚼阻害物６を一体としたものが起毛状に、かつ、咀嚼阻害物６が移動したり抜け上がらないよう下端部を束ねた状態で強固に装着されている。
なお、図３において、手前３つの凹所１３にも束ねた起毛状の咀嚼阻害物６が装着されているが、煩雑にならないよう束ねた咀嚼阻害物６の前記下端部だけを残して図示を省略している。
１４は、ピン形状のアンカーである。これは、アンカー挿通孔Ｈよりも大きな径を有する偏平な円盤体で構成される頭部１４ａを備えており、先端部１４ｂは尖っている。
【００２２】
而して、植生工を法面４に施し、その上に咀嚼阻害物６を有する食害防止部材１２（１１）を植物生育空間を残した状態で設置する。すなわち、植生マット１を法面４に敷設し、咀嚼阻害物６付きワッシャ１２（１１）を植物生育空間（図示せず）を残した状態で植生マット１上にアンカー１４を用いて固定する。
このアンカー１４打設にあたり、アンカー９の頭部９ａの打設面積よりも大きな面積の底面１２ａを備えたワッシャ１２であることから、ネット３の打設箇所を、ワッシャ底面１２ａで面状に押さえることができて、ネット３への押さえつけ効果は大であり、法面４の崩壊を強固に抑止することができる。
そして、敷設直後の植生マット１においては咀嚼阻害物６しか存在しない。その後、植生マット１から植物生育空間（図示せず）に生育してきた植物と咀嚼阻害物６とが隣接しながら混在する。その状態で、草食動物が咀嚼阻害物６を口にした際、かみ切ることができず食物ではないことを認識して草食動物は違和感を覚える。また、咀嚼阻害物６の存在により餌である植物を上手く咀嚼できずにストレスを受ける。その結果、その地域の植物を食べることを嫌悪するようになり、忌避効果が生まれて動物による食害を防止することができる。
【００２３】
図４は、植生工を植生対象面に施し、その上に咀嚼阻害物を有する食害防止部材を植物生育空間を残した状態で設置するように構成した、この発明の第３の実施形態を示す。なお、図４において、図１〜図３に示した符号と同一のものは、同一または相当物である。  図４において、１１’は、咀嚼阻害物６を有する食害防止部材であり、これは、長尺の紐状体１２’と多数の咀嚼阻害物（例えば上述した細条片）６とよりなる。この紐状体１２’は合成樹脂製素材よりなるものでもよいし、金属製素材よりなるものでもよい。
特に、合成樹脂製素材の紐状体１２’の場合、引張強度ができるだけ大きい方が好ましい。そのためには合成樹脂製素材の中でもより高強度なものを用いることが好適であり、例えばテトロン（登録商標）は、上記特性に加え、ナイロンに比べて荷重をかけた場合の伸びが極めて少ないという特性を持っており、そのために寸法安定性にも優れている。この発明に適用するのに最も好ましいものとして挙げることができる。また、異なる素材を組み合わせて紐状体１２’を編織することも可能であり、例えば高強度ポリエステル繊維にアラミド繊維を組み合わせることで、より強力な紐状体を形成することができ好ましい。
そして、紐状体１２’の上面側には、多数の咀嚼阻害物６が紐状体１２’の長手方向に沿って例えば一列状態で縫着・編着・植毛等の方法により起毛状に、かつ各咀嚼阻害物６が移動したり抜け上がらないよう強固に装着されている。また、この実施形態では、例えば緑色または茶色に着色された咀嚼阻害物６を用いている。
なお、多数の咀嚼阻害物６を紐状体１２’の長手方向に沿って複数列状態で設けてもよい。そして、紐状体１２’の長手方向両端部および略中央部の複数箇所には、平面視円形のアンカー取り付け部１３が設けられており、そのアンカー取り付け部１３の紐状体１２’の軸線上に位置する中央部分にアンカー挿通孔Ｈ’が穿設されている。なお、この実施形態では、紐状体１２’の長さをマット幅Ｄと略同じ寸法に設定してある。
【００２４】
而して、植生マット１を法面４に敷設する。この際、両矢印Ｘで示す方向において隣接する植生マット１の互いの隣接端面部分ｍ，ｎ同士を上下に重ね合わせた状態で植生マット１を法面４に敷設する。
その後、咀嚼阻害物６付き紐状体１２’（１１’）を植物生育空間７’を残した状態で植生マット１上にアンカー１４を用いて固定する。この際、複数の紐状体１２’（１１’）を用いて格子状に紐状体１２’（１１’）を植生マット１上に設置するとともに、隣接する植生マット１，１の重ね合わせ部分においては、互いの紐状体１２’（１１’），１２’（１１’）のアンカー取り付け部１３を重ね合わせる。そして、アンカー挿通孔Ｈ’を介してアンカー９を打設する。この場合、アンカー９の横方向へ屈曲した形状の頭部９ａをもって紐状体１２’（１１’）の底面で面状に植生ネット３の打設箇所だけではなく紐状体１２’（１１’）で覆われた箇所をも押さえることができ、ネット３への押さえつけ効果を多大にでき、法面４の崩壊を強固に抑止することができる。
そして、敷設直後の植生マット１においては咀嚼阻害物６しか存在しない。その後、植生マット１から植物生育空間７’に生育してきた植物と咀嚼阻害物６とが隣接しながら混在する。その状態で、草食動物が咀嚼阻害物６を口にした際、かみ切ることができず食物ではないことを認識して草食動物は違和感を覚える。また、咀嚼阻害物６の存在により餌である植物を上手く咀嚼できずにストレスを受ける。その結果、その地域の植物を食べることを嫌悪するようになり、忌避効果が生まれて動物による食害を防止することができる。
【００２５】
図５（Ａ）〜図５（Ｄ）は、それぞれこの発明で用いられる咀嚼阻害物の各種の変形例を示しており、鋸形状の細条片６ａ（咀嚼阻害物の一例）、短手方向両端に金属線材Ｍまたは合成樹脂線材Ｒを有する柔らかいビニール製の細条片６ｃ（咀嚼阻害物の一例）、柔らかいビニール製の紐状体６ｂ（咀嚼阻害物の一例）および有刺鉄線形状の細条片６ｄ（咀嚼阻害物の一例）である。
【００２６】
そのうち特に、有刺鉄線形状の細条片６ｄは、２種類以上の金属線材を撚り合わせて形成された刺状の撚り線、あるいは、ヤシ等の天然繊維線材またはレーヨン等の合成繊維線材と、２種類以上の金属線材とを撚り合わせて形成された刺状の撚り線より構成されている。この実施形態では、レーヨン等の合成繊維線材と、銅線と鉄線を撚り合わせて形成している。そして、金属線材として、例えば銅線と鉄線を用いる場合は、互いに標準電極電位（電解質と接触している電極の電位）に差があることから、鉄、銅が草食動物の口腔内においてイオンの状態で溶出し、不快な金属味も生じることになる。その結果、草食動物は多大な不快感を覚えるのであって、その地域の植物を食べることを嫌悪するようになり、忌避効果が生まれるのであり、草食動物による食害を防止できる。
【００２７】
図６（Ａ）および図６（Ｂ）は、それぞれ、この発明で用いられる咀嚼阻害物の別の変形例を示しており、編物の形で仕上げられたネット３自体から咀嚼阻害物６が形成されている。図７は、図６（Ａ）の咀嚼阻害物の別の製作手法を示している。なお、図６，７において、図１〜図５に示した符号と同一のものは、同一または相当物である。
図６（Ａ）において、ネット３を構成する繊維として、例えば合成樹脂からなる複数のモノフィラメントＡ1 ，Ａ2 と合成樹脂からなりモノフィラメントＡ1 ，Ａ2 よりも太い例えば単一のフラットヤーンＢ1 を使用している。そして、モノフィラメントＡ1 ，Ａ2 とフラットヤーンＢ1 を組み合わせて、例えばこれらを撚り合わせて形成された撚り線を用い、これらをたて（経）またはよこ（緯）の方向に連結させて編むこと（編物仕上げ）で所望の網目ｇを有するネット３を形成することができる。この際、フラットヤーンＢ1 をループ状に残しながら、モノフィラメントＡ1 ，Ａ2 とフラットヤーンＢ1 を編み込んだ後、ループ状に残したフラットヤーンＢ1 ’のうち図６（Ａ）に一点鎖線で示すＵ字形の屈曲部分２０をカットして、実線で示すような垂れ下がった隣接する一対のフラットヤーンＢ1 ’’，Ｂ1 ’’をうることができ、これらを咀嚼阻害物６とする。
【００２８】
図６（Ｂ）は、複数のフラットヤーンＢ1 ，Ｂ 2と複数のモノフィラメントＡ1 ，Ａ 2を組み合わせて、図６（Ａ）の場合に比べて多くの咀嚼阻害物６をうるようにしている。この場合、二対のフラットヤーンＢ1 ’’，Ｂ1 ’’、Ｂ2 ’’，Ｂ2 ’’をうることができ、これらを咀嚼阻害物６とする。
【００２９】
図７は、図６（Ａ）の咀嚼阻害物６付き植生ネット３を効率よくうることができる手法を示している。
図７において、ネット３を編むに際して、一方側から引き出されたフラットヤーンＢ1 の一部Ｂ1 ’は矢印Ｚ1 で示す方向に沿って他方側に至り、例えば網目ｇの長さｇ1 分だけ矢印Ｚ2 で示す方向に沿って編み込まれ、続いて、他方側から引き出されて矢印Ｚ3 で示す方向に沿って一方側に至り、続いて、矢印Ｚ4 で示す方向に沿って編み込まれ、その後、一方側から引き出されて矢印Ｚ5 で示す方向に沿って他方側に至る一方、他方側から引き出されたフラットヤーンＢ1 の一部Ｂ1 ’は、矢印Ｚ1 ’で示す方向に沿って一方側に至り、矢印Ｚ2 ’で示す方向に沿って編み込まれ、続いて、一方側から引き出されて矢印Ｚ3 ’で示す方向に沿って他方側に至り、続いて、矢印Ｚ4 ’で示す方向に沿って編み込まれ、その後、他方側から引き出されて矢印Ｚ5 ’で示す方向に沿って他方側に至るよう構成して一方側および他方側間を跨ぐ一対のフラットヤーンＦ1,Ｆ2 を複数対形成し、図７に示すように例えばフラットヤーンＦ2 の一点鎖線で示す略中央部をカットして、一方側と他方側にフラットヤーンＢ1 ’’，Ｂ1 ’’をうることができ、これらを咀嚼阻害物６とする。また、フラットヤーンＦ1 についても略中央部をカットして、一方側と他方側にフラットヤーンＦ2 をカットしたときと同様のフラットヤーンＢ1 ’’，Ｂ1 ’’をうることができ、これらを咀嚼阻害物６とする。すなわち、一対の咀嚼阻害物６付きネット３を同時にうることができる。
【００３０】
図８（Ａ）および図８（Ｂ）は、編物の形で仕上げられたネット３自体から咀嚼阻害物６が形成されている別の変形例を示す。なお、図８において、図１〜図７に示した符号と同一のものは、同一または相当物である。
図８（Ａ）において、ネット３を構成する繊維として、例えば合成樹脂からなる多数のモノフィラメントＡ1 〜Ａn だけを使用している。そして、モノフィラメントＡ1 〜Ａn を撚り合わせて形成された撚り線を用い、これらをたて（経）またはよこ（緯）の方向に連結させて編むこと（編物仕上げ）で所望の網目ｇを有するネット３を形成することができる。この際、モノフィラメントＡ1 〜Ａn のうち複数のモノフィラメントＡ1 ，Ａ2 ，Ａ3 をループ状に残しながら、モノフィラメントＡ1 〜Ａn を編み込んだ後、ループ状に残した複数のモノフィラメントＡ1 ，Ａ2 ，Ａ3 それぞれをカットして、実線で示すような垂れ下がった隣接する三対の棒状の硬いモノフィラメントＡ1 ’’，Ａ2 ’’，Ａ3 ’’をうることができ、これらを咀嚼阻害物６とする。
【００３１】
図８（Ｂ）では、多数のモノフィラメントＡ1 〜Ａn のうち複数のモノフィラメントＡ1 ，Ａ2 を撚り合わせて形成された撚り線Ａ12''（６）によって咀嚼阻害物６を形成している。この場合、咀嚼阻害物６の強さ、硬さも向上している。
【符号の説明】
【００３２】
１，１’    植生マット
４          植生対象面
６          咀嚼阻害物
７          植物生育空間
８          植物
【図１】
2010187630.tif 000003
【図２】
2010187630.tif 000004
【図３】
2010187630.tif 000005
【図４】
2010187630.tif 000006
【図５】
2010187630.tif 000007
【図６】
2010187630.tif 000008
【図７】
2010187630.tif 000009
【図８】
2010187630.tif 000010